(57)【特許請求の範囲】
【請求項１】
流体を充填されたエンクロージャの上容積部又は下容積部の少なくとも一方に発生する汚染を閉じ込める方法であって、
前記上容積部の温度を、前記下容積部の温度よりも、二つの容積部間が、内部で急温度勾配が維持される幅狭の乱流中間領域によって互いに確実に分離される温度だけ、高い温度に維持し、
前記乱流中間領域が水平面に於ける仮想仕切りとして作用する仮想閉じ込めバリアを形成し、前記汚染を熱成層化によって容積部内に閉じ込める汚染の閉じ込め方法。
【請求項２】
請求項１記載の汚染の閉じ込め方法であって、前記上容積部と下容積部には独立に、それぞれ所定温度で噴射される流体流が流れ、上容積部内に噴射される流体は、この上容積部から前記乱流中間領域の上側界面の直上で排出され、前記下容積部内に噴射される流体は、この下容積部から前記乱流中間領域の下側界面の直下で排出され、これら流体が、前記それぞれの容積部内において、発生される乱流速度の垂直方向成分を最小化する。
【請求項３】
請求項２記載の汚染の閉じ込め方法であって、前記エンクロージャの上容積部を流れる高温流体は、少なくともその一部がリサイクルされる。
【請求項４】
請求項１ないし３記載のいずれかの汚染の閉じ込め方法であって、気体によって充填されたエンクロージャの底部に存在する汚染源から放出される汚染物質を閉じ込めるのに使用される。
【請求項５】
流体を充填したエンクロージャの上容積部又は下容積部の少なくとも一方に発生する汚染を閉じ込めるための汚染閉じ込め装置であって、
前記上容積部の温度を前記下容積部の温度よりも高い温度に維持し、前記上容積部と下容積部との間に水平面状の仮想閉じ込めバリアを形成するための温度維持手段を備え、前記温度維持手段により形成される前記仮想閉じ込めバリアが、その内部に於いて急温度勾配に維持され、幅狭の乱流中間領域とされる汚染閉じ込め装置。
【請求項６】
請求項５記載の汚染閉じ込め装置であって、前記上下各容積部を各別に所定の温度を維持するための前記温度維持手段は、これら各容積部に配置されて、これら各容積部内に流体を流す流体供給装置と流体排出装置とを有し、前記流体供給装置の流出断面の速度分布を均一化するように構成され、前記流体供給装置を前記乱流中間領域から離間させて設けるように構成されている。
【請求項７】
請求項６記載の汚染閉じ込め装置であって、前記エンクロージャが矩形であり二つの対向する垂直壁を有し、前記上容積部から高温流体を排出させるための前記流体排出装置と、前記下容積部から低温流体を排出させるための前記流体排出装置とは、夫々、共通の高さ位置に配置されて前記エンクロージャの二つの対向する垂直壁の全長に沿って互いに向かい合って配置された複数の幅狭スロットを、備えて構成されている。
【請求項８】
請求項６又は７記載の汚染閉じ込め装置であって、上容積部に高温流体を供給するための前記流体供給装置又は下容積部に低温流体を供給するための前記流体供給装置の少なくとも一つは、前記エンクロージャの水平壁の全長に渡って均一かつ、前記水平壁と平行に分布形成された少なくとも二つの幅狭スロットから成る。
【請求項９】
請求項６又は７記載の汚染閉じ込め装置であって、前記エンクロージャが矩形であり二つの対向する垂直壁を有し、上容積部に高温流体を供給するための前記流体供給装置又は下容積部に低温流体を供給するための前記流体供給装置の少なくとも一つは、前記エンクロージャの二つの互いに対向する垂直壁の全長に渡って千鳥状に均一に分布形成された幅狭で高さの短い複数のスロットから成る二つのスロット列から成り、これらのスロットは、水平壁又はその近傍の垂直壁部から前記垂直壁に接触する状態で延出している。
【請求項１０】
請求項６又は７記載の汚染閉じ込め装置であって、前記エンクロージャが矩形であり二つの対向する垂直壁を有し、前記汚染が発生される前記上容積部又は前記下容積部の少なくとも一方に於いて、前記流体供給装置は、前記エンクロージャの二つの互いに対向する垂直壁の全長に渡って千鳥状に均一に分布形成された幅狭で高さの短い複数のスロットから成る二つのスロット列から成り、これらのスロットは、天井又は床である水平壁又はその近傍の垂直壁部から前記二つの垂直壁に接触する状態で延出している。
【請求項１１】
請求項６ないし１０記載のいずれかの汚染閉じ込め装置であって、更に、前記エンクロージャの前記上容積部を流れる高温流体の少なくともその一部をリサイクルさせる手段を有する。
【請求項１２】
請求項７ないし１０記載のいずれかの汚染閉じ込め装置であって、前記低温流体の前記流体供給装置には、環境温度の流体、又は、前記環境温度の流体から取られた熱エネルギを利用して前記高温流体の前記流体供給装置に供給される流体の温度を上昇させるヒートポンプによって上流側に於いて冷却された流体、が供給される。
【請求項１３】
気体によって充填されたエンクロージャの底部に存在する高温である汚染源から放出される汚染物質を閉じ込めるのに使用される請求項６の汚染閉じ込め装置であって、以下に示す第１供給装置、第２供給装置、及び排出装置を有する、
前記第１供給装置は、前記下容積部に設けられて低温気体を供給するものであり、前記エンクロージャが矩形であり二つの互いに対向する垂直壁を有し、前記エンクロージャの二つの互いに対向する垂直壁の全長に渡って千鳥状に均一に分布形成された幅狭で高さの短い複数のスロットから成る二つのスロット列から成り、これらのスロットは、一般に床である水平壁又はその近傍から前記垂直壁に接触する状態で延出している、
前記第２供給装置は、前記上容積部に設けられて高温気体を供給するものであり、前記エンクロージャの、水平壁の全長に渡って均一かつ平行に分布形成された少なくとも二つの幅狭スロットから成る、
前記排出装置は、前記上下各容積部に設けられて注入された気体を排出するためのものであり、それぞれの共通の高さ部に均一に分布され、前記エンクロージャの二つの対向する垂直壁の全長に沿って互いに向かい合った状態で形成された複数の幅狭スロットから構成されている。
【発明の詳細な説明】
【０００１】
【発明の属する技術分野】
本発明は、例えば、汚染の閉じ込めを行うための方法と装置に関する。
さらに詳しくは、本発明は、流体を充填したエンクロージャの上容積部又は下容積部の一方以上に発生する汚染を閉じ込める方法と、この方法に関連する装置とに関するものであり、この方法は工業用であって、熱成層化の自然現象に基づく点に於いて独自のものである。
この方法を実施することによって、種々の用途、特に、高温汚染源がエンクロージャの底部に存在し、かつ、このエンクロージャの上部をその汚染源から保護する必要のある最も厳しい態様に於いて驚異的に効果的な閉じ込めが保障される。
本出願人は、本発明の方法と装置を、特に、ガラス化セルの上部に配置されるホイスト装置を保護する観点から、このホイスト装置を坩堝とカ焼炉とによって放出される汚染物質から保護するために、原子力産業に於ける核分裂生産物をガラス化する態様用として開発したものである。しかしながら、次に詳述する本発明の前記方法と装置とは、この態様に限定されるものではない。
【０００２】
【従来の技術】
従来から、流体の成層化現象は周知である。
流体が液体の場合は、次のようになる。重力成層化は、密度の異なる非混和性流体において一般的に観察される。これは、非常に安定したものであって、二つの相を混合させるために高いエネルギを必要とする。混合が無い場合には、単位体積当たり比較的小さな界面領域が、一方の相から他方の相への、溶質、又は懸濁粒子、の移動に対する有効なバリアを構成する。
流体が気体の場合は、次のようになる。二つの相が、密度が異なり、その内部に於いて外気に依る乱流がほとんど無い大きな容積のエンクロージャ内に存在する気体である場合にも類似の現象が観察される。この場合、その成層化現象の安定性は遙かに低く、界面は、液相間のそれほど明確には形成されない。むしろ、その界面は、ブラウン運動と、一方の相の他方の相への平均濃度が垂直軸に沿って急勾配に連続的に上昇変化する乱流拡散とに依る「混合領域」によって取って代わられる。
熱成層化について更に詳述すると、同じ流体中に於いて、温度差によって密度差が存在し、従って、その流体は二つの異なる相、即ち、低温相と高温相、として振る舞う、ということが知られている。これら二つの相は、もしもその体積が大きい場合には、互いにあまり混和性が高くなく、したがって、これらの相は、異なる組成の流体間に於けるものと同様の成層化現象を示す。この自然現象によって下記が説明できる。海流、温度逆転の気象現象と、その大気汚染に対する影響、そして、山地の湖の水の温度プロファイル（その深さの関数としての）が、この現象に関連する。
【０００３】
【発明が解決しようとする課題】
本発明の態様に於いて、驚くべきことに、液体と気体との両方の水平面に於いて真正のバリアを人工的に形成するべく、上述の熱成層化現象をコントロールすることが可能であることが観察された。当業者に於いては、このような制御が達成可能である可能性はほとんど無いと考えられる、ことが容易に理解されるであろう。事実、特に対流と乱流とに対して非常に影響を受け易い気体雰囲気に於いてこれを達成することが出来る可能性は低いと思われるであろう。従って、従来、閉じ込めの工業方法を熱成層化の自然現象に基づかせることに反対する非常に強い先入観が存在した。
現在及び本発明の開発中に於いて実施されてきた公知の閉じ込め方法、特に、粒子を含む汚染大気から装置を保護するための方法は、以下の４タイプに分類される。これらのタイプは、カバーを利用した密封保護、エア・カーテンによる保護、層流下の保護、そして、熱伝達に基づく保護である。
本発明を理解することによって、当業者は、この発明が上述の従来技術に対して様々な態様に於いて提供する利点を理解するであろう。記載のこの段階では、本発明の方法が効果的であり、しかも、この方法を実施するのに必要な付属装置はコンパクトなものである、ということを強調しておくに留める。
【０００４】
【課題を解決するための手段】
本発明は、先ず、流体、即ち、一般には空気である気体、或いは、一般には水である液体、のいずれかを充填されたエンクロージャ（定容積空間）の上容積部又は下容積部の少なくとも一方に発生する汚染を閉じ込める方法を提供するものであり、前記汚染を熱成層化によって閉じ込めるものであって、前記上容積部の平均温度は、前記下容積部の温度よりも、これら二つの容積部が「混合領域」と称されその内部で急温度勾配が維持される幅狭の乱流中間領域によって互いに確実に分離される量だけ、高い温度に維持され、結果的に、前記乱流中間領域は、水平面に於ける仮想仕切りとして作用する仮想閉じ込めバリアを構成する。
【０００５】
この方法は、前記上容積部と下容積部との間に十分大きな温度差を維持することによって（前記上容積部の温度を下容積部の温度よりも明確に高い状態に維持する）、これら上下容積部間において閉じ込めバリアを人工的に作り出すことに依る。前記温度差は、前記上容積部の高温流体と、下容積部の低温流体との間に十分に大きな密度差を保障することができるものでなければならない。前記密度差は、前記低温流体に対して下向きに作用し、高温流体に対して上向きに作用する垂直方向の力の作用（アルキメデスの押圧力に依るこれらの力は、二つの相の様々な部分に対して作用し、これらの相を成層化によって分離しようとする）は、前記体積部分が前記混合領域（乱流中間領域）に流入する速度に依る慣性力の作用に打ち勝つものでなければならない。前記慣性力は、外部環境の乱流のランダムな速度に依るものであり、これによって、相間での拡散混合と熱交換とが起こる。従って、本発明に依って、前記エンクロージャは、人工的に、二つの異なるエンクロージャ部分に分割される。
【０００６】
上述したように、本発明の方法は、気体を充填されたエンクロージャ（定容積空間；従って、このエンクロージャは、「セル（容器内空間）」又は「チャンバ（室内空間）」という方が理解し易い）中か、もしくは、液体を充填されたエンクロージャ（「プール（貯液槽内空間）」等）中で実施することができる。一般に、気体又は液体として一種類のみの流体が使用される。前記流体が気体である場合に、これは一般に空気から成り、それが液体である場合には、これは一般に水から成る。その他の気体、たとえば窒素、や、その他の液体も本発明の範囲から除外されるものではない。同様に、本発明は、二種類の気体又は二種類の液体がエンクロージャ中に存在する可能性も除外するものではない。しかし、そのような場合には、これら二種類の流体の密度は、本発明の実施に適合するものでなければならない。
【０００７】
本発明の方法は、エンクロージャの二つの容積部分、即ち、上容積部と下容積部を、互いに対して閉じ込めるものであり、これら容積部のいずれか一方で発生した汚染が他方の容積部に侵入することが防止される。或いは、これら容積部の両方で汚染が発生する場合には、一方の容積部の汚染が他方の容積部での汚染から保護される。
汚染とは様々なタイプのものが可能である。その汚染源は、たとえば、機械ダスト、特に、放射性ダスト（一般的にエンクロージャの下部に配置される、鋸引きステーション、せん断ステーション、溶接ステーション等、このようなステーションは、同様に、特に、その作業がロケット等の装置の上部に対して行われる場合には、エンクロージャの上部に配置されることもある）であったり、或いは、その汚染源は、粒子を含む供給原料から放出される（たとえば高温である）蒸気（ガラス化溶融製品用のセルの下部に配置される溶融炉やカ焼炉等）であったりする。
このような汚染源は、低温又は高温であり、それは、エンクロージャの上部又は下部に存在する。すべての場合が可能であるが、最も厳しいケースは、高温の汚染源がエンクロージャの下部に存在する場合である。このような汚染源から放出される汚染物質は、対流によって自然にエンクロージャの上部領域を汚染する。本発明の方法は、その他様々なケースに於いて有効に実施することができ、これは、又、気体雰囲気中での作業が特に困難であるこの厳しいケースに於いても効果的である。
【０００８】
熱成層化が安定的に達成されるようにエンクロージャの上部と下部とをそれぞれある温度に維持するする手段としては様々なものを使用することが可能である。本発明の方法の一つの有利な改変構成に於いて、前記上容積部と下容積部とは、それぞれ独立して、それぞれの適当な温度で噴射される流体流が流れ、上容積部内に噴射される流体は、この上容積部から前記混合領域（即ち、閉じ込めバリア）の上側界面の直上から排出され、前記下容積部内に噴射される流体は、この下容積部から、前記混合領域の下側界面の直下から排出され、これら流体は互いに同一種の流体又は異なる種類の流体のいずれであってもよく、更に、これら流体は、前記それぞれの容積部内に、発生される乱流速度の垂直方向成分を最小化する条件下で噴射されることが好ましい。
【０００９】
この有利な改変構成は、以下のいずれかで実施することが可能である。
空気等の気体（又は、前述したように二種類の気体でもよい）を使用し、これを高温で上容積部に吹き込み、低温で下容積部に吹き込む。或いは、水等の液体（又は、前述したように二種類の液体でもよい）を使用し、これを高温で上容積部に注入し、低温で下容積部に注入する。
いずれの場合にも、最大の効果、つまり、発生された閉じ込めバリアの安定化を得るためには、高温と低温の流体が「スムース」に注入されなければならない。もちろん、これらの流体の排出もスムースなものとし、その排出時に発生する乱流の悪影響を少なくする。この目的の為に、発生された乱流の速度の垂直成分を最小化する必要がある。好ましくは、この同じ目的のために、前記流体供給手段の流出断面の速度分布を均一化し、この流体供給手段を前記閉じ込めバリアを構成する混合領域から可能な限り離間させる。反対に、注入された流体を排出するための流体排出手段は、前記混合領域（乱流中間領域）に可能な限り近接させることが理解されるであろう。
【００１０】
本発明の別の好適な改変構成に於いて、前記エンクロージャの上容積部を流れる高温流体は、少なくともその一部がリサイクルされることが好ましい。
【００１１】
本発明の方法に於いて、このように、エンクロージャの下部（低温領域）と上部（高温領域）との間に十分に大きな温度差を維持することによって、水平面に閉じ込めバリアが形成される。この温度差を作り出す手段はどのようなものであってもよい。上述したように、好ましくは、この温度差は、前記下容積部と上容積部とに、それぞれ適当な温度の流体（単数種又は複数種）を流すことによって作り出せる。
【００１２】
本発明は、更に、上述した閉じ込め方法を実施するための閉じ込め装置を提供し、流体、即ち、一般には空気である気体、又は一般には水である液体、のいずれかを充填したエンクロージャの上容積部又は下容積部に発生する汚染を閉じ込めるための装置は以下を有することとすることが好ましい。
前記上容積部の平均温度を前記下容積部の平均温度よりも高い温度に維持し、これによって、前記上容積部と下容積部との間に水平面に於ける仮想閉じ込めバリアを形成するための温度維持手段、
前記仮想閉じ込めバリアは、その内部に於いて急温度勾配が維持される、「混合領域」と称される幅狭の乱流中間領域によって構成される。そして、好ましくは、前記上容積部の壁の少なくとも一部を断熱するための手段を備えることが好ましい。
当業者は、エンクロージャの上容積部と下容積部とをそのそれぞれの適当な温度に維持するための前記温度維持手段として様々な構成が可能であり、又、いずれの場合に於いても、前記上容積部を断熱することが有利である、ことを理解するであろう。第１に、熱交換を低減することが有利であり、第２に、前記上容積部の壁と外気との間のあまりにも大きな温度差は避けることが有利である。そのように過剰な温度差は、対流と有害な乱流とを引き起こすであろう。
【００１３】
上容積部と下容積部とをそれぞれの適切な温度に維持された流体を流すという上述した本発明の方法の一改変構成に於いては、前記各容積部に於いて適当な温度を維持するための前記温度維持手段を、これら各容積部に適切に配置されてこれら各容積部に流体を流す流体供給装置と流体排出装置とから構成することが好ましい。前記流体供給装置の形状と寸法とは、発生される乱流の垂直方向成分を最小化するべく構成される。もちろん、この流体供給装置は、その上流側に於いて、前記流体をその所望の温度で供給するための手段に接続され、前記流体排出装置は、その下流側に於いて、対象の容積部（上容積部又は下容積部）を流れた流体を吸引する適当な手段に接続されて構成できる。
【００１４】
前記上容積部（より正確には、この上容積部の底部）から高温流体を排出させるための前記流体排出装置と、前記下容積部（より正確には、この下容積部の上部）から低温流体を排出させるための前記流体排出装置とを、それぞれの共通の高さ部に均一に配置分布させ、エンクロージャの二つの対向する垂直壁の全長に沿って互いに向かい合った状態で配置された複数の幅狭スロットから構成することが好ましい。もちろん、これらのスロットが形成された前記垂直壁が、このスロットの形成によって構造的に弱くならないように注意する。
各スロットは、実際には複数のスロット部材から成る。前記エンクロージャが矩形ブロックである場合、当業者は、これらの排出スロットは、このエンクロージャの長手方向（水平方向）軸心に沿って配置されると有利である、ということを理解出来るであろう。
【００１５】
上容積部（より正確には、この上容積部の上部）に高温流体を供給するための前記流体供給装置又は下容積部（より正確には、この下容積部の底部）に低温流体を供給するための前記流体供給装置を、下記のいずれかから構成することが好ましい。
ａ）その流体が空間領域において連続的に分布されるように構成された水平面、又は、
ｂ）エンクロージャの水平壁（床又は天井）の全長に渡って均一かつ平行に分布配設された少なくとも二つの幅狭スロット、又は、
ｃ）エンクロージャの二つの互いに対向する垂直壁の全長に渡って千鳥状に均一に分布形成された幅狭で高さの短い複数のスロットから成る二つのスロット列、これらのスロットは、前記水平壁（単数又は複数で天井又は床）又はその近傍から前記垂直壁に接触する状態で延出させる。
【００１６】
上記変形例ａ）に於いて、前記床（又は床に類するもの）又は天井（又は天井に類するもの）は、その表面の少なくとも一部が穿孔されこれによって前記注入流体を拡散させるための壁を構成することが好ましい。
【００１７】
上記変形例ｂ）に於いて、流れ効果を確実にするべく長手スロット（一般に、少なくとも二つの長手スロット）が設けられる。これらのスロットは、天井に類するもの又は床に類するものにおいても同様に構成することができる。
【００１８】
上記変形例ｃ）に於いて、エンクロージャの垂直壁の底部又は天頂部に二列のスロットが設けられる。これらのスロットは、注入時に発生する乱流を最小限にするべく千鳥状に分布配置される（これら二列のスロットは、好ましくは均一にオフセットされる）。好ましくは、エンクロージャの下容積部に設けられるスロットは、床（又は床に類するもの）レベルには設けられず、むしろ、この床（又は床に類するもの）のレベルよりもわずかに上方に設けられる。これによって、この床（又は床に類するもの）上に着地したダストの上方への攪拌を避けることができる。
【００１９】
本発明の前記装置は、エンクロージャの上容積部と下容積部とに、同じタイプ又は異なるタイプの流体供給装置を使用することができる。一好適変形例に於いて、汚染が発生する容積部（単数又は複数）に於いて、即ち、上容積部又は下容積部に於いて、前記流体供給装置は上述のｃ）タイプの装置である。このタイプの装置は、特に、注入時に於いて発生される乱流の垂直方向の速度成分を最小限にするように最適化される。好ましくは、汚染された上又は下容積部に設けられるこのタイプの装置は、対応する汚染されない下又は上容積部（汚染がこれら容積部のいずれか一方に於いてのみ発生されると仮定して）の上記ｂ）タイプの装置と関連付けられる。
【００２０】
本発明の装置に於いて、上容積部に高温流体が確実に流れるように設けられる前記手段は、好ましくは、前記高温流体の少なくともその一部をリサイクルする手段である。
同様に、本発明の装置に於いて、下容積部に低温流体が確実に流れるように設けられる前記手段は、好ましくは、前記流体から得られる熱エネルギを利用して前記高温流体供給装置に供給される流体の温度を上昇させるヒートポンプから構成される。即ち、例えば、低温流体の供給装置には、環境温度の流体、又は、前記流体から取られた熱エネルギを利用して前記高温流体の供給装置に供給される流体の温度を上昇させるヒートポンプによって上流側に於いて冷却された流体、が供給されることが好ましい。
【００２１】
本発明の前記態様に於いて、前記方法のエネルギ効率の最適化のために、様々な手段（断熱、リサイクル、熱交換器の提供）が可能である。
本発明の別の改変構成に於いて、特に、一般に空気である気体によって充填されたエンクロージャの底部に存在するたとえば高温である汚染源から放出される汚染物質を閉じ込めるのに特に適した、本発明の装置は、以下を有することが好ましい。
前記下容積部に設けられて一般に空気である低温気体を供給する前記ｃ）タイプの第１供給装置、
前記上容積部に設けられて一般に空気である高温気体を供給する前記ｂ）タイプの第２供給装置、そして
前記上下各容積部に設けられて、上述したように、一般に空気である注入された気体を排出するための排出装置。
以下の実施の形態にあっては、この変形例に基づいて、本願を説明する。
【００２２】
【発明の実施の形態】
この特定の態様は、その底部に汚染熱源を有し、かつ、その上部に塔頂移動クレーン２を備えた、前述したガラス化核分裂製品用のセルの態様である。
図１及び図２に示すように、セルは、汚染源１（これは坩堝とカ焼炉とからなる）と、前記汚染源１から保護されるべき塔頂移動クレーン２とを有する。前記セルには空気が充満している。図１は、本願の温度維持手段を備えない場合の気流の流れ状態を例示的に示したものである。
本発明者等が直面した技術的課題は、このようなセル内のホイストの汚染を大幅に制限することにあった。前記坩堝とカ焼炉とによって加熱された空気は、煙突に於いてと同様、セル内を上昇し、この空気に放射性粒子が含まれている場合、これはセルの上部の塔頂移動クレーン２を汚染し、これによってこの装置２に対して行われる保守作業をより困難なものとする。過去の経験に依れば、高温汚染源を含むセル内に存在するホイストの利用度は、それらホイストが汚染される度合いに直接関係している。
【００２３】
このような問題を解決するための本願の実施例と、その結果を本テクストに於いて更に詳細に提供される本出願人によって行われた全研究に於いて、前記セルは下記の寸法を有するものであった。
【００２４】
長さ                          １２．０ｍ
幅                              ３．６ｍ
クレーンを支持する軌道下の高さ  ７．５ｍ
全高                            ９．０ｍ
【００２５】
温度維持手段を備えない構造（図１）に於いては、前記クレーン２を保護するために換気システムが設置される。空気は、セルの上部（前記坩堝の上方）から供給され、反対側の壁の底部から排出される。前記空気は、毎時４，３００Ｎｍ3（４，３００Ｎｍ3／ｈ）の流量で２８℃の温度で注入される。
【００２６】
温度維持手段を備える構造（この構造が本願の構造に対応する）に於いては（図２）、セルの下部（低温領域で下溶液部の一例）４と上部（高温領域で上容積部の一例）５との間に十分に大きな温度差を維持することによって、水平面に於いて閉じ込めバリア（混合領域３）が形成される。前記温度差は、適当な換気システム（温度維持手段の一例）によって維持され、これは、前記高温領域５に侵入する低温空気に対して作用する重力が、それに対して作用する慣性力よりも大きく、これによってこの低温空気がセルの底部に向けて再度降下し、均衡に達して、セルの上部５に位置するクレーン２を汚染することがないようにするものでなければならない。
【００２７】
前記閉じ込めバリア（混合領域３）は、その内部の空気中に於いて垂直方向の温度勾配がこの領域外部に位置する前記二つの容積部４及び５のいずれかの内部の温度勾配よりも急峻である（図３参照）混合領域３を形成する。図３横軸は、温度軸θ（℃）であり、縦軸Ｚは、高さ方向の距離（ｍ単位）を表している。符号９はセルの天井近傍に対応している。一般に、前記混合領域の厚みは、セルの高さの１５％以下でなければならない。この厚みは、セルの下記のような代表長さの関数として決められる。
セルの高さ、
クレーンの移動量の高さ、
汚染領域に含まれる装置によって占有される高さ。
【００２８】
前記両領域（即ち、高温領域と低温領域）の乱流のレベルがどのようなものであっても、これら両領域間の温度差が大きければ大きいほど、前記厚みは小さくなる。
前記下容積部４と上容積部５とは、換気によって内部に流体が流れる構造とされる（使用される流体は、６０℃の高温空気と２８℃の低温空気である）。
【００２９】
本発明に関し、その概略的な構造から先ず説明する。
１）一般原理
前記換気は、あたかも、その換気によって、その厚みが前記混合領域３の厚みである物理的容積部によって互いに分離された二つの別々の上下に位置するセル（４及び５）内の空気が所望の率で入れ替えられることが保障されるように構成される。前記二つの仮想セル（又は領域）には、換気再処理ユニット用の空気によって通常の処理を受けた空気流が供給される。
取り入れ開口部Ａ及びＤは、これら開口部がそれぞれ領域５及び４内に於いて、可能な限り最小のランダム成分を有する連続的な垂直方向の低速流（毎秒数センチメータ（ｃｍ／ｓ））を作り出すように配置される。前記下（低温）領域４内の流れは上方に向けられ、上（高温）領域５内の流れは下方に向けられる。
排出スロットＢ及びＣは、前記混合領域３のいずれかの側方に設けられる。即ち、高温空気排出スロットＢは、前記混合領域３の上側界面の直上に位置し、そして、低温空気排出スロットＣは、前記混合領域３の下側界面の直下に位置する。
これら排出スロットＢ及びＣは、前記混合領域３のレベルを安定化させる。
【００３０】
この安定化のためには、高温空気回路と低温空気回路との排出流量に対する取り入れ流量を、十分正確に制御する必要がある。この目的のための最も単純な解決方法は、前記高温空気をリサイクルする方法である。この方法は、更に、熱エネルギの節約と、ヒータユニットのサイズを小さくできるという利点を提供する。
２）換気の寸法構成を決定する空気の物理特性
ａ）高温領域５内の空気
供給流量：領域５はなんら汚染源を含まないことから、次のことが必要である。一方に於いて、前記混合領域３の最上平面の近傍の水平方向断面を通る流速（垂直方向下方）が、この混合領域３に侵入した汚染物質粒子のブラウン運動と、その乱流拡散との速度よりも高いものでなければならない。そして、他方に於いて、高温空気の流量は、壁との対流に依る損失を相殺するのに十分に大きなものでなければならない。上領域５の側壁を断熱して、熱交換と漂遊対流を低減すれば、混合領域３の安定化に役立つ。
温度：上領域５の温度は、可能な限り高いものでなければならず、その温度は、ホイストのモータの冷却の必要性のみによって制限される。
【００３１】
ｂ）低温領域４内の空気：
供給流量：下領域４に供給される空気の流量は、汚染源の強度とタイプと、主に、その汚染源が有する熱源によって発生されるエネルギとの関数であり、この流量は、その結果起こる空気の平均温度の上昇が冷気のその流量によって相殺されるものでなければならない。いずれの場合に於いても、この流量の最大許容値は、前記混合領域３の厚み（従って、水平断面を通る空気流の侵入速度と上昇速度）を限定する必要性によって決まる。
温度：低温は、混合領域３の厚みを減少させ、その安定性を増加させる（それが正に維持されると仮定して）要因であるので、下領域の空気の温度には下限がない。しかしながら、単純化の理由と、更に、投資コストを制限するために、一般に外気温度の空気が使用される。次に、寸法構成の為に考慮される温度は、その現場に於いて、十分な長さの基準時間中に記録される最高気象温度に対応する温度でなければならない。
乱流レベル：乱流は、熱源の存在と、更に、前記取り入れ開口部Ｄのと配置方法とに依り、高温領域５に於いての方が多く、これは、混合領域３との界面に於けるランダム速度の二乗平均値である最大値によって特徴付けられ、これが前記領域３の高さを決めるパラメータである。
【００３２】
本発明を実施するのに使用される装置に関して、さらに具体的に以下を指定することができる。
１）供給と換気開口部の構成
成層化が効果的であるためには、前記換気開口部Ａ（第２供給装置を成す），Ｄ（第１供給装置を成す）を通る取り入れ流量と、前記排出スロットＢ，Ｃ（排出装置を成す）を通る排出流量とが均一に分布されることが必須である。
前記取り入れ開口部Ａ，Ｄへの供給ダクトと、前記排出スロットＢ，Ｃからの排出ダクトとは、この限定（ファン羽根、種々の断面のダクト、等）の関数として構成されなければならない。従って、又、そのように構成しなければ起こるであろう全体サイズの増加とに依り、ダクトの寸法を研究することが、本装置の設計に於いて一つの必須項目であり、この作業は、セルの土木工学に関する作業に先立って行う必要がある。
前記セルは、断熱二重内壁（たとえば、発泡ガラス製）を備えさせることができ、この場合、これらの壁とセルの構造壁との間の約０．４ｍの隙間を取り入れ空気を分配するためのダクトと装置用に使用することができる。
更に、前記取り入れ開口部Ａ，Ｄの供給断面に於ける速度が均一に分布される必要がある。これは、この供給オリフィスは、約２０％の透過率を有し、互いに数ミリの間隔で離間した２又は３つの層の穿孔シートメタルでライニングすることによって達成される。
一般に、「誘導的」（即ち、内部循環移動を誘導する）である取り入れ開口部Ａ，Ｄは、前記混合領域３からできる限り離間させる必要があるのに対して、その周囲環境に対する誘導作用が空間的に非常に限られた排出スロットＢ，Ｃは、これらスロットがセルの垂直壁へり境界部を形成し、かつ、それらを安定化させるため、混合領域３により近接して配置することができる。
【００３３】
２）高温空気取り入れ開口部Ａ（スロット）（図２及び４参照）
ａ）一般構成：これら開口部は、前記混合領域３の近傍に於いて水平断面を介して高温空気流量を、その流れができる限り層流に近い状態で分配することが可能なように配設されなければならない。これらの条件を満たすために（ホイストの固定方法を考慮して）、これら取り入れ開口部は、セルの長手方向軸心に対して平行で、ほとんど連続的な複数の幅狭スロットとして配置することができる。所望の流量の関数としてのその最小断面を決定するその供給速度は、クレーン２の諸構成部材に対する最大速度が毎秒０．４メータ（ｍ／ｓ）以上にならないようにするものでなければならない。これによって、前記混合領域３の安定性に悪影響を与える乱流の発生を避けることができる。
ｂ）高温空気流量
高温空気流量は、前記上容積部５の水平方向断面領域を通る流速が確実に約０．０４ｍ／ｓとなるように選択される。前記上領域５のための供給開口部のために選択される取り入れ速度とその分布に鑑みて、前記混合領域３の天頂平面の近傍での流れは、乱流拡散が無視できる程度である層流であると考えることができ、最も細かい汚染物質粒子（最も高速で拡散する）の場合でも、そのブラウン運動に依る拡散速度は０．０４ｍ／ｓよりも遙かに低い。
【００３４】
３）低温空気取り入れ開口部Ｄ（スロット）（図２，４，５及び６参照）
ａ）一般構成：  前記低温空気供給開口部Ｄは、前記下領域（低温領域）４の周囲環境内に於ける汚染空気と高温空気との密度が、誘導された乱流のランダム速度の垂直方向成分を制限しながら、可能な限り均一となるように配置、形状構成される。前記幅狭供給開口部Ｄ（縦スロット又は「小窓」形状）は、セルの長手側に於いてその床の近傍に位置され、千鳥状に配置されている。
このレイアウトによって、垂直軸心方向平面を有する相互対向噴流１０が作り出される（図６参照）。
互いに反対の速度に依るせん断作用によって、これらの平面噴流は、その速度が小さな垂直方向成分を有し、種々の源から発生する流れを周囲環境と混合させる渦流を作り出す（図５参照）。
水平方向軸心を有し、垂直方向のランダム速度を発生させるこれらの渦流は、噴流１０間の界面の領域と比較して非常に小さな（「小窓」の領域）領域から作り出されることが観察される。更に、前記噴流１０の上部と、セル内のほとんど不動の周囲環境との間の速度差は、互いに反対方向の噴流間の速度差の半分であり、これによって、上向きの垂直流に対してかなり圧倒的な水平方向の流れを作り出すことが理解される。これらの二つの理由に依り、前記ランダム速度の垂直方向成分は、大幅に低減され、従って、前記混合領域への侵入の現象が制限される。更に、このレイアウトは、汚染の保護領域５へのいかなる侵入に於いても最も重要な要因である、前記熱源から発生する流れの上昇速度を、ダイリューションに依って、制動しようとする。
ｂ）低温空気流量
空気の平均上昇速度の値は、換気用空気に依る、下領域４からの、「空気力学的直径」が３５μｍ以下である汚染物質粒子の取り込みを制限するように約０．０４ｍ／ｓに選択される。より直径の大きな粒子は、セル内に沈下する傾向があり、これらは壁に付着せず、真空掃除によって除去可能である。
この速度は、セルの水平方向断面積の関数である流量を決めるものであり、これは、低温空気の供給温度と熱源１のエネルギと考慮して、前記低温領域４を十分に低い温度に維持するのに十分に高いものでなければならない。セルの単位容積当たりの熱源によって発生される平均熱エネルギが非常に高いある種の用途に於いては、その流量を制限するために、供給空気を冷却するユニットが必要となるかもしれない。このような場合には、最も合理的な解決方法は、低温空気の温度を低下させながら、高温空気の温度を上昇させるためのヒートポンプを使用することであろう。
【００３５】
４）排出スロットＢ，Ｃ（低温空気用（Ｃ）と高温空気用（Ｂ））
前記低温空気用排出スロットＣと高温空気用排出スロットＤとは、ほとんど連続的な（吸気開口部の垂直側部間の隙間は可能な限り狭い）複数のスロットから成り、その長手側に於いて互いに対面しながら延出する水平スロット列として配置される。
前記低温空気排出スロットＣの最上レベルが、前記混合領域３の最下平面を形成し、前記高温空気排出スロットＢの最下レベルが前記混合領域３の最上平面を形成する。前記高温空気排出スロットＢの最上レベルは、前記ホイストがその内部を移動する前記容積部の最下レベルの約１ｍ下方に位置しなければならない。前記クレーンが車輌デッキを備える場合、前記高温空気排出スロットの最上レベルは、このクレーンのデッキのレベルの下に位置しなければならない。
【００３６】
図３を参照して、以下を指定することができる。
前記下容積部に於いては、その汚染熱源の存在のために、緩やかな熱勾配が観察される。所望の急峻な温度勾配は、前記（垂直）閉じ込めバリアを構成する前記混合領域３に於いて観察される。
【００３７】
図４に於いて、図示の簡略化のために、前記クレーン２は図示されていない。
【００３８】
上記説明に於いて、本発明の方法は、添付の図２及び４ないし６に略示された上述した装置を使用して上述した寸法を有するガラス化セル内に実施された。下記の表は、本発明のこの方法と装置の特性を示している。
【００３９】
【表１】
0004272281.tif 000002
【００４０】
この条件で、良好に汚染の拡散を防止できた。
【図面の簡単な説明】
【図１】本願の実施の対象であるセルの構成を示す図
【図２】本発明の閉じ込め方法（熱成層化による閉じ込め）を実施したセルの図
【図３】図２に示したセル内部の温度プロファイルを示すグラフ
【図４】本発明の閉じ込め装置を備えた図２のセルの斜視図
【図５】図４のＶの方向での断面図
【図６】図５の一部の拡大図
【符号の説明】
Ａ    高温流体供給装置
Ｂ    流体排出装置
Ｃ    流体排出装置
Ｄ    低温流体供給装置
【図１】
0004272281.tif 000003
【図２】
0004272281.tif 000004
【図３】
0004272281.tif 000005
【図４】
0004272281.tif 000006
【図５】
0004272281.tif 000007
【図６】
0004272281.tif 000008